(57)【要約】      （修正有）【課題】圃場に埋設した水位調整枡内に連接する用水流入パイプに接続して設置され、無段階で用水の排水および供給を行うことで田面の水位を調整する無段階水位調整筒を提供する。【解決手段】差し込み部材１の大径環状部材２、水位調整スライド短管３の小径環状部材４、水位調整スライド中管の出入り部材６の流出入孔部７、ネジ部８および袋ナット９が調節管１０の最下端位置に設定されている。このような状態から、袋ナット９を緩めてネジ部８との螺合を解除すると、出入り部材６の上下動が可能となり、出入り部材６を最上端まで引き上げると、水位調整スライド中管のストッパー部材が小径環状部材４の段部に係合してテレスコープ式に水調整スライド短管３を引き上げることができる。それによって流出入孔部７の高さ位置がコントロールできるので、水位調整を無段階に行うことができる。【選択図】図１
0003199539.tif 000002
【実用新案登録請求の範囲】
【請求項１】
圃場に埋設した水位調整枡内に連接する用水流入パイプ先端に当接する円筒状の差し込み部材と、該差し込み部材の上部に外嵌固定された大径環状部材と、前記差し込み部材の内部にスライド可能に挿入された同心円状の水位調整スライド短管と、該水位調整スライド短管の上部に外嵌固定された小径環状部材と、前記水位調整スライド短管の内部にスライド可能に挿入された円筒状の水位調整スライド中管と、該水位調整スライド中管の上部に外嵌固定された出入り部材と、該出入り部材に用水の流出入孔部を設け、該流出入孔部の上部に固定された円筒状のネジ部と、該ネジ部に螺合する袋ナットと、前記差し込み部材の内部に同心円状のアンカー部を固着し、該アンカー部に下端を固定し、水位調整スライド短管、小径環状部材、水位調整スライド中管、出入り部材、ネジ部及び袋ナットを貫通し立設した長尺棒状の調節管と、該調節管の上端に設けた調節管固定枠とから構成されていることを特徴とする無段階水位調整筒。
【請求項２】
圃場に埋設した水位調整枡内に連接する用水流入パイプに嵌合する水位調整筒受け台座と、該水位調整筒受け台座に螺合される円筒状のねじ込み部材と、該ねじ込み部材の上部に外嵌固定された大径環状部材と、前記ねじ込み部材の内部にスライド可能に挿入された同心円状の水位調整スライド管と、該水位調整スライド管の上部に外嵌固定された中径環状部材と、前記水位調整スライド管の内部にスライド可能に挿入された円筒状の水位調整スライド短管と、該水位調整スライド短管の上部に外嵌固定された小径環状部材と、前記水位調整スライド短管の内部にスライド可能に挿入された円筒状の水位調整スライド中管と、該水位調整スライド中管の上部に外嵌固定された出入り部材と、該出入り部材に用水の流出入孔部を設け、該流出入孔部の上部に固定された円筒状のネジ部と、該ネジ部に螺合する袋ナットと、前記ねじ込み部材の内部に同心円状のアンカー部を固着し、該アンカー部に下端を固定し、水位調整スライド管、水位調整スライド短管、水位調整スライド中管、出入り部材の流出入孔部、ネジ部及び袋ナットを貫通し立設した長尺棒状の調節管と、該調節管の上端に設けた調節管固定枠とから構成されていることを特徴とする無段階水位調整筒。
【請求項３】
圃場に埋設した水位調整枡内に連接する用水流入パイプ先端に当接する円筒状の差し込み部材と、該差し込み部材の上部に外嵌固定された大径環状部材と、前記差し込み部材の内部にスライド可能に挿入された同心円状の水位調整スライド短管と、該水位調整スライド短管の上部に外嵌固定された小径環状部材と、前記水位調整スライド短管の内部にスライド可能に挿入された円筒状の水位調整スライド中管と、該水位調整スライド中管の上部に内嵌固定された出入り部材と、該出入り部材に用水の流出入孔部を設け、前記出入り部材には凹凸嵌合を行う嵌合凹部を設け、操作桿には前記嵌合凹部に嵌合する多数個の嵌合凸部を軸方向に沿って設けることを特徴とする無段階水位調整筒。
【請求項４】
圃場に埋設した水位調整枡内に連接する用水流入パイプに嵌合する水位調整筒受け台座と、該水位調整筒受け台座に螺合される円筒状のねじ込み部材と、該ねじ込み部材の上部に外嵌固定された大径環状部材と、前記ねじ込み部材の内部にスライド可能に挿入された同心円状の水位調整スライド管と、該水位調整スライド管の上部に外嵌固定された中径環状部材と、前記水位調整スライド管の内部にスライド可能に挿入された円筒状の水位調整スライド短管と、該水位調整スライド短管の上部に外嵌固定された小径環状部材と、前記水位調整スライド短管の内部にスライド可能に挿入された同心円状の水位調整スライド中管と、該水位調整スライド中管の上部に外嵌固定された出入り部材と、該出入り部材に用水の流出入孔部を設け、前記出入り部材には凹凸嵌合を行う嵌合凹部を設け、操作桿には前記嵌合凹部に嵌合する多数個の嵌合凸部を軸方向に沿って設けることを特徴とする無段階水位調整筒。
【考案の詳細な説明】
【技術分野】
【０００１】
本考案は、圃場に埋設した水位調整枡内に連接する用水流入パイプに接続して配置され、用水の排水および供給を行うことで田面の水位を調整する無段階水位調整筒に関する。
【背景技術】
【０００２】
従来、図９に示すように、圃場に埋設した水位調整枡内に連接する用水流入パイプに接続して設置される水位切り替え装置がある。
図１０に示すように、径の異なる略円筒状部材を周方向に回転自在に内外二重に重ね合わせて、側面に穿設した孔の開閉により、田面の水位を調整する水位切り替え装置が知られている（特許文献１を参照）。
【０００３】
図１１に示すように、略円筒状部材と、当該円筒状部材の外周に装着された上下二つの外側部材をそれぞれ独立して上下スライド可能にして、側面に穿設した孔の開閉により、田面の水位を調整する水位切り替え装置が知られている（特許文献２を参照）。
【０００４】
図１２に示すように、突起状の用水流出入孔のある略円筒状部材と、当該円筒状部材の上部の外周と下部の内周に装着された上下二つの外側部材を設けて、別途付属の着脱可能な蓋でもって用水流出入孔を選択することにより、田面の水位を調整する水位切り替え装置が知られている（特許文献３を参照）。
【０００５】
図１３に示すように、１８０度位相をずらした突起状の用水流出入孔のある略円筒状部材と、当該円筒状部材の上部の外周と下部の内周に装着された上下二つの外側部材を設けて、別途付属の着脱可能な蓋でもって用水流出入孔を選択することにより、田面の水位を調整する水位切り替え装置が知られている（特許文献４を参照）。
【０００６】
しかし、前述した水位切り替え装置は、降雨量に応じて予め定めた水位まで排水量を調整したり、地下水位が低いときは、設定水位まで用水を供給することで、圃場の水分量を調整することが可能となるが、いずれも孔のある位置でしか調節できないものであった為、無段階で調節できる水位調整装置が望まれていた。
【先行技術文献】
【特許文献】
【０００７】
【特許文献１】意匠登録第１５１２０２７号公報
【特許文献２】意匠登録第１５１２０２８号公報
【特許文献３】意匠登録第１５１２０３０号公報
【特許文献４】意匠登録第１５１２５３２号公報
【考案の概要】
【考案が解決しようとする課題】
【０００８】
本考案は、圃場に埋設した水位調整枡内に連接する用水流入パイプに接続して配置され、無段階で用水の排水および供給を行うことで田面の水位を調整する無段階水位調整筒を提供することを目的とする。
【課題を解決するための手段】
【０００９】
本考案の無段階水位調整筒は、圃場に埋設した水位調整枡内に連接する用水流入パイプ先端に当接する円筒状の差し込み部材と、該差し込み部材の上部に外嵌固定された大径環状部材と、前記差し込み部材の内部にスライド可能に挿入された同心円状の水位調整スライド短管と、該水位調整スライド短管の上部に外嵌固定された小径環状部材と、前記水位調整スライド短管の内部にスライド可能に挿入された円筒状の水位調整スライド中管と、該水位調整スライド中管の上部に外嵌固定された出入り部材と、該出入り部材に用水の流出入孔部を設け、該流出入孔部の上部に固定された円筒状のネジ部と、該ネジ部に螺合する袋ナットと、前記差し込み部材の内部に同心円状のアンカー部を固着し、該アンカー部に下端を固定し、水位調整スライド短管、小径環状部材、水位調整スライド中管、出入り部材、ネジ部及び袋ナットを貫通し立設した長尺棒状の調節管と、該調節管の上端に設けた調節管固定枠とから構成されている。
【００１０】
本考案の無段階水位調整筒は、圃場に埋設した水位調整枡内に連接する用水流入パイプに嵌合する水位調整筒受け台座と、該水位調整筒受け台座に螺合される円筒状のねじ込み部材と、該ねじ込み部材の上部に外嵌固定された大径環状部材と、前記ねじ込み部材の内部にスライド可能に挿入された同心円状の水位調整スライド管と、該水位調整スライド管の上部に外嵌固定された中径環状部材と、前記水位調整スライド管の内部にスライド可能に挿入された円筒状の水位調整スライド短管と、該水位調整スライド短管の上部に外嵌固定された小径環状部材と、前記水位調整スライド短管の内部にスライド可能に挿入された円筒状の水位調整スライド中管と、該水位調整スライド中管の上部に外嵌固定された出入り部材と、該出入り部材に用水の流出入孔部を設け、該流出入孔部の上部に固定された円筒状のネジ部と、該ネジ部に螺合する袋ナットと、前記ねじ込み部材の内部に同心円状のアンカー部を固着し、該アンカー部に下端を固定し、水位調整スライド管、水位調整スライド短管、水位調整スライド中管、出入り部材の流出入孔部、ネジ部及び袋ナットを貫通し立設した長尺棒状の調節管と、該調節管の上端に設けた調節管固定枠とから構成されている。
【００１１】
本考案の無段階水位調整筒は、圃場に埋設した水位調整枡内に連接する用水流入パイプ先端に当接する円筒状の差し込み部材と、該差し込み部材の上部に外嵌固定された大径環状部材と、前記差し込み部材の内部にスライド可能に挿入された同心円状の水位調整スライド短管と、該水位調整スライド短管の上部に外嵌固定された小径環状部材と、前記水位調整スライド短管の内部にスライド可能に挿入された円筒状の水位調整スライド中管と、該水位調整スライド中管の上部に内嵌固定された出入り部材と、該出入り部材に用水の流出入孔部を設け、前記出入り部材には凹凸嵌合を行う嵌合凹部を設け、操作桿には前記嵌合凹部に嵌合する多数個の嵌合凸部を軸方向に沿って設ける。
【００１２】
本考案の無段階水位調整筒は、圃場に埋設した水位調整枡内に連接する用水流入パイプに嵌合する水位調整筒受け台座と、該水位調整筒受け台座に螺合される円筒状のねじ込み部材と、該ねじ込み部材の上部に外嵌固定された大径環状部材と、前記ねじ込み部材の内部にスライド可能に挿入された同心円状の水位調整スライド管と、該水位調整スライド管の上部に外嵌固定された中径環状部材と、前記水位調整スライド管の内部にスライド可能に挿入された円筒状の水位調整スライド短管と、該水位調整スライド短管の上部に外嵌固定された小径環状部材と、前記水位調整スライド短管の内部にスライド可能に挿入された同心円状の水位調整スライド中管と、該水位調整スライド中管の上部に外嵌固定された出入り部材と、該出入り部材に用水の流出入孔部を設け、前記出入り部材には凹凸嵌合を行う嵌合凹部を設け、操作桿には前記嵌合凹部に嵌合する多数個の嵌合凸部を軸方向に沿って設ける。
【考案の効果】
【００１３】
本考案の無段階水位調整筒は、圃場に埋設した水位調整枡内に連接する用水流入パイプに接続して設置され、差し込み部材又はねじ部材に固定されたスライド管をテレスコープ式に移動することができるので、それによって用水の流出入孔部の高さ位置をコントロールできるので、水位調整を無段階に行うことができる効果がある。
本考案の無段階水位調整筒は、ネジ部及び袋ナットの締め付け位置を自由に選択することができ、それによって用水の流出入孔部の高さ位置がコントロールできるので、水位調整を無段階に行うことができることができる。
【００１４】
本考案の無段階水位調整筒は、凹凸嵌合により操作桿の長さ調節を行うことにより、出入り部材の流出入孔部の位置を調節できるので、簡単に水位調節を行うことができ、高齢者や婦女子でも簡単に操作することができる。
【図面の簡単な説明】
【００１５】
【図１】本考案の差し込み式の無段階水位調整筒の正面図である。
【図２】本考案の差し込み式の無段階水位調整筒の一部切断正面図である。
【図３】本考案のねじ込み式の無段階水位調整筒の正面図である。
【図４】本考案のねじ込み式の無段階水位調整筒置の一部切断正面図である。
【図５】本考案の差し込み式の他の無段階水位調整筒の正面図である。
【図６】本考案の差し込み式の他の無段階水位調整筒の一部切断正面図である。
【図７】本考案のねじ込み式の他の無段階水位調整筒の正面図である。
【図８】本考案のねじ込み式の他の無段階水位調整筒の一部切断正面図である。
【図９】従来の水位切り替え装置の使用状態を示す参考図である。
【図１０】従来の水位切り替え装置の斜視図である。
【図１１】従来の水位切り替え装置の斜視図である。
【図１２】従来の水位切り替え装置の斜視図である。
【図１３】従来の水位切り替え装置の斜視図である。
【考案を実施するための形態】
【００１６】
本考案の差し込み式の無段階水位調整筒の実施例を添付図面に基づいて、以下に説明する。
図１の正面図、図２の一部切断正面図に示すように、差し込み式の無段階水位調整筒は、圃場に埋設した水位調整枡内に連接する用水流入パイプＷ先端に当接する円筒状の差し込み部材１と、該差し込み部材１の上部に外嵌固定された大径環状部材２と、前記差し込み部材１の内部にスライド可能に挿入された同心円状の水位調整スライド短管３と、該水位調整スライド短管３の上部に外嵌固定された小径環状部材４と、前記水位調整スライド短管３の内部にスライド可能に挿入された円筒状の水位調整スライド中管５と、該水位調整スライド中管５の上部に外嵌固定された出入り部材６と、該出入り部材６に用水の流出入孔部７を設け、該流出入孔部７の上部に固定された円筒状のネジ部８と、該ネジ部８に螺合する袋ナット９と、前記差し込み部材１の内部に同心円状のアンカー部（図示省略）を固着し、該アンカー部（図示省略）に下端を固定し、水位調整スライド短管３、小径環状部材４、水位調整スライド中管５、出入り部材６、ネジ部８及び袋ナット９を貫通し立設した長尺棒状の調節管１０と、該調節管１０の上端に設けた調節管固定枠１１とから構成されている。
【００１７】
前記差し込み部材１は、圃場に埋設した水位調整枡内に連接する用水流入パイプＷ先端に当接する直径を有し、前記差し込み部材１と前記用水流入パイプＷとが用水流入パイプＷ接続ソケットにより液密に接続され、前記差し込み部材１は塩ビなどの合成樹脂製のパイプからなる。
前記大径環状部材２は、内側に段部（図示省略）を形成して水位調整スライド短管３を引き伸ばしたときのストッパーとして機能し、前記差し込み部材１の上部に外嵌固定され、水位調整スライド短管３の上下動を案内する。
前記水位調整スライド短管３は、下端部に大径環状部材２の段部（図示省略）に係合するストッパー部材Ｐを設け、前記大径環状部材２に案内されて上下にスライドすると共に、水位調整スライド中管５が前記水位調整スライド短管３の内部にスライド可能に収納されている。
前記小径環状部材４は、内側に段部（図示省略）を形成して水位調整スライド中管５を引き伸ばしたときのストッパーとして機能し、前記水位調整スライド短管３の上部に外嵌固定され、水位調整スライド中管５の上下動を案内する。
前記水位調整スライド中管５は、下端部に小径環状部材４の段部（図示省略）に係合するストッパー部材（図示省略）を設け、水位調整スライド短管３の内部にスライド可能に収納され、水位調整スライド中管５の上部に出入り部材６を外嵌固定し、該出入り部材６に用水の流出入孔部７を設け、さらに流出入孔部７の上部に円筒状のネジ部８を固定する。
前記流出入孔部７は、出入り部材６の円周方向に複数個の開口を形成する。
【００１８】
前記ネジ部８は、円筒状で外側にネジ山を形成し、前記調節管１０が前記ネジ部８の内部を貫通している。
前記袋ナット９は、前記ネジ部８に螺合し、前記袋ナット９を緩めて前記ネジ部８を上下移動可能にし、前記ネジ部８を引き上げることにより、前記水位調整スライド中管５を引き上げて前記流出入孔部７の位置を調整し、さらに引き続きテレスコープ式に前記水位調整スライド短管３を引き上げることによって前記流出入孔部７の位置を調整することにより水位を調整することができる。
前記調節管１０は、下端を差し込み部材１の内部のアンカー部（図示省略）に固定されて垂直に立設され、前記ネジ部８及び前記袋ナット９を移動可能に支持する。
前記調節管固定枠１１は、前記調節管１０の上端に設け、水位調整枡に設けた固定部材（図示省略）に固定する。
【００１９】
次に、本考案の差し込み式の無段階水位調整筒の操作動作について、以下に説明する。
図１の正面図に示すように、前記差し込み部材１と前記用水流入パイプＷとが用水流入パイプＷ接続ソケットにより液密に接続され、前記用水流入パイプＷ内に前記水位調整スライド短管３が嵌合収納されている。
この状態では、前記差し込み部材１の大径環状部材２、水位調整スライド短管３の小径環状部材４、水位調整スライド中管５の出入り部材６の流出入孔部７、ネジ部８および袋ナット９が調節管１０の最下端位置に設定されている。
この状態から袋ナット９を緩めてネジ部８との螺合を解除すると、前記出入り部材６の上下動が可能となり、前記出入り部材６を最上端まで引き上げると、水位調整スライド中管５のストッパー部材（図示省略）が小径環状部材４の段部に係合してテレスコープ式に前記水位調整スライド短管３を引き上げる。
図２の一部切断正面図に示すように、前記ネジ部８及び袋ナット９が上位で固定されると、前記水位調整スライド中管５および水位調整スライド短管３が伸長となって流出入孔部７が上位になり、水位は高く調整される。
なお、前記ネジ部８及び袋ナット９の締め付け位置を自由に選択することができ、それによって流出入孔部７の高さ位置がコントロールできるので、水位調整を無段階に行うことができる。
【００２０】
つぎに、本考案のねじ込み式の無段階水位調整筒の実施例を添付図面に基づいて、以下に説明する。
図３の正面図、図４の一部切断正面図に示すように、ねじ込み式の無段階水位調整筒は、圃場に埋設した水位調整枡内に連接する用水流入パイプＷに嵌合する水位調整筒受け台座１２と、該水位調整筒受け台座１２に螺合される円筒状のねじ込み部材１３と、該ねじ込み部材１３の上部に外嵌固定された大径環状部材１４と、前記ねじ込み部材１３の内部にスライド可能に挿入された同心円状の水位調整スライド管１５と、該水位調整スライド管１５の上部に外嵌固定された中径環状部材１６と、前記水位調整スライド管１５の内部にスライド可能に挿入された円筒状の水位調整スライド短管３と、該水位調整スライド短管３の上部に外嵌固定された小径環状部材４と、前記水位調整スライド短管３の内部にスライド可能に挿入された円筒状の水位調整スライド中管５と、該水位調整スライド中管５の上部に外嵌固定された出入り部材６と、該出入り部材６に用水の流出入孔部７を設け、該流出入孔部７の上部に固定された円筒状のネジ部８と、該ネジ部８に螺合する袋ナット９と、前記ねじ込み部材１３の内部に同心円状のアンカー部（図示省略）を固着し、該アンカー部（図示省略）に下端を固定し、水位調整スライド管１５、水位調整スライド短管３、水位調整スライド中管５、出入り部材６の流出入孔部７、ネジ部８及び袋ナット９を貫通し立設した長尺棒状の調節管１０と、該調節管１０の上端に設けた調節管固定枠１１とから構成されている。
【００２１】
前記水位調整筒受け台座１２は、圃場に埋設した水位調整枡内に連接する用水流入パイプＷに嵌合する直径を有し、上部外周にねじ込み部材１３に嵌合螺合するネジ山を形成し、塩ビなどの合成樹脂製のパイプからなる。
前記ねじ込み部材１３は、水位調整筒受け台座１２のネジ山に螺合するネジ山を内側に形成した円筒状のパイプからなり、上部に大径環状部材１４が外嵌固定される。
前記水位調整スライド管１５は、下端部に大径環状部材１４の段部（図示省略）に係合するストッパー部材を設け、前記大径環状部材１４に案内されて上下にスライドすると共に、水位調整スライド管１５が前記ねじ込み部材１３の内部にスライド可能に収納されている。
前記中径環状部材１６は、内側に段部（図示省略）を形成して水位調整スライド短管３を引き伸ばしたときのストッパーとして機能し、前記水位調整スライド管１５の上部に外嵌固定され、水位調整スライド短管３の上下動を案内する。
なお、差し込み式の無段階水位調整筒と同一番号の部材については説明を省略する。
【００２２】
次に、本考案のねじ込み式の無段階水位調整筒の使用操作について、以下に説明する。
図３の正面図に示すように、前記用水流入パイプＷ内に前記水位調整スライド短管３が嵌合収納され、水位調整筒受け台座１２、ねじ込み部材１３、大径環状部材１４、中径環状部材１６、小径環状部材４、出入り部材６の流出入孔部７、ネジ部８および袋ナット９が調節管１０の最下端位置に設定されている。
この状態から袋ナット９を緩めてネジ部８との螺合を解除すると、前記出入り部材６の水位調整スライド中管５の上下動が可能となり、水位調整スライド中管５を最上端まで引き上げると、水位調整スライド中管５のストッパー部材（図示省略）が小径環状部材４の段部に係合してテレスコープ式に水位調整スライド短管３を引き上げる。
さらに引き上げると、前記水位調整スライド短管３のストッパー部材（図示省略）が中径環状部材１６の段部に係合してテレスコープ式に水位調整スライド管１５を引き上げる。
図４の一部切断正面図に示すように、前記ネジ部８及び袋ナット９が上位で固定されると、流出入孔部７および水位調整スライド中管５、水位調整スライド短管３、水位調整スライド管１５が伸長となって流出入孔部７が上位になり、水位は高く調整される。
なお、前記ネジ部８及び袋ナット９の締め付け位置を自由に選択することができ、それによって流出入孔部７の高さ位置がコントロールできるので、水位調整を無段階に行うことができる。
【００２３】
さらに、本考案の差し込み式の無段階水位調整筒の他の実施例を添付図面に基づいて、以下に説明する。
図５の正面図、図６の一部切断正面図に示すように、圃場に埋設した水位調整枡内に連接する用水流入パイプＷ先端に当接する円筒状の差し込み部材１と、該差し込み部材１の上部に外嵌固定された大径環状部材２と、前記差し込み部材１の内部にスライド可能に挿入された同心円状の水位調整スライド短管３と、該水位調整スライド短管３の上部に外嵌固定された小径環状部材４と、前記水位調整スライド短管３の内部にスライド可能に挿入された円筒状の水位調整スライド中管５と、該水位調整スライド中管５の上部に内嵌固定された出入り部材６と、該出入り部材６に用水の流出入孔部７を設け、前記出入り部材６には凹凸嵌合を行う嵌合凹部１７を設け、操作桿１８には前記嵌合凹部１７に嵌合する多数個の嵌合凸部１９を軸方向に沿って設ける。
【００２４】
つぎに、本考案の差し込み式の無段階水位調整筒の他の実施例の操作動作を添付図面に基づいて、以下に説明する。
図５の正面図に示すように、前記差し込み部材１と前記用水流入パイプＷとが用水流入パイプＷ接続ソケットにより液密に接続され、前記用水流入パイプＷ内に前記水位調整スライド短管３が嵌合収納されている。
この状態では、前記差し込み部材１の大径環状部材２、水位調整スライド短管３の小径環状部材４、水位調整スライド中管５の出入り部材６の流出入孔部７が操作桿１８の最下端位置に設定されている。
この状態から、操作桿固定枠１１により前記操作桿１８を所定角度回転させ、前記出入り部材６に設けた嵌合凹部１７と操作桿１８の嵌合凸部１９の係合を外し、図６の一部切断正面図に示すように、凹凸嵌合により前記操作桿１８の長さ調節を行い、再び前記操作桿固定枠１１を適宜角度回転させ、前記操作桿１８を固定する。
したがって、前記操作桿１８の長さ調節を行うことにより、前記出入り部材６の流出入孔部７の位置を調節できるので、簡単に水位調節を行うことができる。
【００２５】
さらに、本考案のねじ込み式の無段階水位調整筒の他の実施例を添付図面に基づいて、以下に説明する。
図７の正面図、図８の一部切断正面図に示すように、圃場に埋設した水位調整枡内に連接する用水流入パイプＷに嵌合する水位調整筒受け台座１２と、該水位調整筒受け台座１２に螺合される円筒状のねじ込み部材１３と、該ねじ込み部材１３の上部に外嵌固定された大径環状部材１４と、前記ねじ込み部材１３の内部にスライド可能に挿入された同心円状の水位調整スライド管１５と、該水位調整スライド管１５の上部に外嵌固定された中径環状部材１６と、前記水位調整スライド管１５の内部にスライド可能に挿入された円筒状の水位調整スライド短管３と、該水位調整スライド短管３の上部に外嵌固定された小径環状部材４と、前記水位調整スライド短管３の内部にスライド可能に挿入された同心円状の水位調整スライド中管５と、該水位調整スライド中管５の上部に外嵌固定された出入り部材６と、該出入り部材６に用水の流出入孔部７を設け、前記出入り部材６には凹凸嵌合を行う嵌合凹部１７を設け、操作桿１８には前記嵌合凹部１７に嵌合する多数個の嵌合凸部１９を軸方向に沿って設ける。
【００２６】
つぎに、本考案のねじ込み式の無段階水位調整筒の他の実施例の操作動作を添付図面に基づいて、以下に説明する。
図７の正面図に示す状態で、操作桿固定枠１１により前記操作桿１８を所定角度回転させ、前記出入り部材６に設けた嵌合凹部１７と操作桿１８の嵌合凸部１９の係合を外し、図８の一部切断正面図に示すように、凹凸嵌合により操作桿１８の長さ調節を行い、再び前記操作桿固定枠１１を適宜角度回転させ、前記操作桿１８を固定する。
したがって、前記操作桿１８の長さ調節を行うことにより、前記出入り部材６の流出入孔部７の位置を調節できるので、簡単に水位調節を行うことができる。
【符号の説明】
【００２７】
１  差し込み部材
２  大径環状部材
３  水位調整スライド短管
４  小径環状部材
５  水位調整スライド中管
６  出入り部材
７  流出入孔部
８  ネジ部
９  袋ナット
１０  調節管
１１  調節管固定枠
１２  水位調整筒受け台座
１３  ねじ込み部材
１４  大径環状部材
１５  水位調整スライド管
１６  中径環状部材
１７  嵌合凹部
１８  操作桿
１９  嵌合凸部
【図１】
0003199539.tif 000003
【図２】
0003199539.tif 000004
【図３】
0003199539.tif 000005
【図４】
0003199539.tif 000006
【図５】
0003199539.tif 000007
【図６】
0003199539.tif 000008
【図７】
0003199539.tif 000009
【図８】
0003199539.tif 000010
【図９】
0003199539.tif 000011
【図１０】
0003199539.tif 000012
【図１１】
0003199539.tif 000013
【図１２】
0003199539.tif 000014
【図１３】
0003199539.tif 000015